(57)【要約】【課題】組立作業に不慣れな一般人であっても、容易に、かつ、短時間で組立式家具を組立てることができるようにした組立式家具用の連結手段を提供する。【解決手段】組立式家具における一方の構成部材に固定されるボルト保持体５と、当該一方の構成部材に対応する他方の構成部材に固定される雌ねじ保持体７とよりなり、該ボルト保持体は、ボルト９の雄ねじ部９ａを突出させた状態で該ボルトの頭部９ｂを保持し、該ボルトは、該ボルトの中心線９ｃに対し回転不能かつ進退不能であると共に該ボルトの頭部を旋回中心として旋回自在であり、該雌ねじ保持体は、該ボルトに対応する雌ねじ部１５を回転自在かつ進退不能に備え、該雌ねじ部は人が指で回転させ得るように配設し、該ボルトを該雌ねじ部に螺合させた状態で該雌ねじ部を回転させることにより該雌ねじ保持体が該ボルト保持体に接離する方向に進退する。【選択図】図１
2013238251.tif 000002
【特許請求の範囲】
【請求項１】
組立式家具における一方の構成部材に固定されるボルト保持体と、当該一方の構成部材に対応する他方の構成部材に固定される雌ねじ保持体とよりなり、
該ボルト保持体は、ボルトの雄ねじ部を突出させた状態で該ボルトの頭部を保持し、該ボルトは、該ボルトの中心線に対し回転不能かつ進退不能であると共に該ボルトの頭部を旋回中心として旋回自在であり、
該雌ねじ保持体は、該ボルトに対応する雌ねじ部を回転自在かつ進退不能に備え、該雌ねじ部は人が指で回転させ得るように配設し、該ボルトを該雌ねじ部に螺合させた状態で該雌ねじ部を回転させることにより該雌ねじ保持体が該ボルト保持体に接離する方向に進退するようになし、
以て、該雌ねじ保持体を固定した前記他方の構成部材と該ボルト保持体を固定した前記一方の構成部材とが相互に回動自在となり、該雌ねじ保持体の雌ねじ部を回転させることにより該雌ねじ部を該ボルトに締め付けて前記他方の構成部材と前記一方の構成部材とが相互に固定されるようにしたことを特徴とする組立式家具用の連結手段。
【請求項２】
前記雌ねじ部には係止孔を備えさせ、該係止孔に物の先端を係止させて該雌ねじ部を回転させることができるようにしたことを特徴とする請求項１に記載の組立式家具用の連結手段。
【発明の詳細な説明】
【技術分野】
【０００１】
本発明は、組立式家具用の連結手段に関するものであり、更に詳しくは、組立式家具における構成部材と構成部材とを連結する手段に係るものである。
【背景技術】
【０００２】
近年、組立式家具がしばしば販売されている。組立式家具は、家具の構成部材と該構成部材を連結するための連結手段等とが組立てられていない状態でセットとして販売され、購入者が説明書等を参考に自ら構成部材を連結手段により組立てるようにしたものである。
【０００３】
このような組立式家具用の連結手段としては、ボルトとナットとよりなるもの、あるいは、例えば、特開２００２−３６１号公報に示すように、連結ピンを嵌合孔に嵌合させるようにしてなるものが知られている。以下、これらの連結手段を「従来の組立式家具用の連結手段」という。
【先行技術文献】
【特許文献】
【０００４】
【特許文献１】特開２００２−３６１号公報
【発明の概要】
【発明が解決しようとする課題】
【０００５】
しかるに、上記従来の組立式家具用の連結手段は、組立作業に不慣れな一般人にとっては使用し難いものであり、説明書等を参考にして自ら構成部材を連結手段により組立てることは極めて面倒であり、かつ、時間のかかる作業である。特に、ボルト、ナット等をレンチにより締め付ける作業は、一般人にとっては困難である。
【０００６】
このような状況に鑑み、本発明は、組立作業に不慣れな一般人であっても、容易に、かつ、短時間で組立式家具を組立てることができるようにした組立式家具用の連結手段を提供しようとしてなされたものである。
【課題を解決するための手段】
【０００７】
上記課題を解決するために、本発明は、下記の組立式家具用の連結手段を提供する。
【０００８】
（１）組立式家具における一方の構成部材に固定されるボルト保持体と、当該一方の構成部材に対応する他方の構成部材に固定される雌ねじ保持体とよりなり、
該ボルト保持体は、ボルトの雄ねじ部を突出させた状態で該ボルトの頭部を保持し、該ボルトは、該ボルトの中心線に対し回転不能かつ進退不能であると共に該ボルトの頭部を旋回中心として旋回自在であり、
該雌ねじ保持体は、該ボルトに対応する雌ねじ部を回転自在かつ進退不能に備え、該雌ねじ部は人が指で回転させ得るように配設し、該ボルトを該雌ねじ部に螺合させた状態で該雌ねじ部を回転させることにより該雌ねじ保持体が該ボルト保持体に接離する方向に進退するようになし、
以て、該雌ねじ保持体を固定した前記他方の構成部材と該ボルト保持体を固定した前記一方の構成部材とが相互に回動自在となり、該雌ねじ保持体の雌ねじ部を回転させることにより該雌ねじ部を該ボルトに締め付けて前記他方の構成部材と前記一方の構成部材とが相互に固定されるようにしたことを特徴とする組立式家具用の連結手段（請求項１）。
【０００９】
（２）前記雌ねじ部には係止孔を備えさせ、該係止孔に物の先端を係止させて該雌ねじ部を回転させることができるようになす（請求項２）。
【発明の効果】
【００１０】
［請求項１の発明］
組立式家具を組立てるに当り、前記一方の構成部材と当該一方の構成部材に対応する前記他方の構成部材とを相互に固定する際には、前記一方の構成部材に固定されたボルト保持体のボルトを前記他方の構成部材に固定された雌ねじ保持体の雌ねじ部に螺合させた状態で該雌ねじ部を指で回転させることにより、該雌ねじ保持体を該ボルト保持体に連結する。これにより、前記他方の構成部材と前記一方の構成部材とが相互に連結される。この状態で、必要に応じて、前記一方の構成部材と前記他方の構成部材との角度を調節し（図８〜図１３参照）、雌ねじ保持体の雌ねじ部を回転させることにより該雌ねじ部を該ボルトに締め付けて前記他方の構成部材と前記一方の構成部材とを相互に固定する。
【００１１】
以上の如く、単にボルト保持体のボルトを雌ねじ保持体の雌ねじ部に螺合させた状態で該雌ねじ部を指で回転させることにより、該雌ねじ部を該ボルトに締め付けることができる。このとき、レンチ等の締付工具を用いる必要がない。したがって、レンチ等の締付工具を使用した経験がない人や組立作業に不慣れな人であっても、容易に、かつ、短時間で組立式家具を組立てることができる。
【００１２】
また、各構成部材を相互に連結させる作業を床面等の平面で行った後、各構成部材間の角度を調節し、該構成部材を相互に固定することができるため、作業は一層容易なものとなる。なお、本発明による組立式家具用の連結手段は、当該家具を組み立てた後は、正面、左右両側面、平面及び底面には見えないようにすることができる。
【００１３】
［請求項２の発明］
前記雌ねじ部には係止孔を備えさせ、該係止孔に物の先端を係止させて該雌ねじ部を回転させることができるようにしたため、該雌ねじ部を小さな力でボルトに強力に締め付けることができる。
【図面の簡単な説明】
【００１４】
【図１】図１は、本発明による組立式家具用の連結手段の一例を示す斜視図である。
【図２】図２は、同上連結手段を示す断面図である。
【図３】図３は、同上連結手段を示す別の斜視図である。
【図４】図４は、同上連結手段を分解して示す斜視図である。
【図５】図５は、同上連結手段を示す平面図である。
【図６】図６は、同上連結手段を示す別の平面図である。
【図７】図７は、同上連結手段を示す更に別の斜視図である。
【図８】図８は、組立式家具における三つの構成部材を連結させた状態を示す斜視図である。
【図９】図９は、同上構成部材間の角度を変更しつつある状態を示す斜視図である。
【図１０】図１０は、同上構成部材間の角度を直角に変更した状態を示す斜視図である。
【図１１】図１１は、組立式家具における二つの構成部材を連結させた状態を示す斜視図である。
【図１２】図１２は、同上構成部材間の角度を変更しつつある状態を示す斜視図である。
【図１３】図１３は、同上構成部材間の角度を直角に変更した状態を示す斜視図である。
【発明を実施するための形態】
【００１５】
図８〜図１３において、符号１、３に示すものは、組立式家具における構成部材である。
【００１６】
各構成部材１、３は、一例として、木粉と合成樹脂とによりハニカム構造体に形成してなるものとする。該ハニカム構造体は、例えば四角形の断面形状を有する。
【００１７】
本発明による組立式家具用の連結手段は、組立式家具における一方の構成部材１に固定されるボルト保持体５と、当該一方の構成部材１に対応する他方の構成部材３に固定される雌ねじ保持体７とよりなる。
【００１８】
該ボルト保持体５は、ボルト９の雄ねじ部９ａを突出させた状態で該ボルト９の頭部９ｂを保持し、該ボルト９は、該ボルト９の中心線９ｃに対し回転不能かつ進退不能であると共に該ボルト９の頭部９ｂを旋回中心（回動中心）として旋回自在（回動自在）である。
【００１９】
すなわち、一例として、ボルト９の頭部９ｂはボルト９の中心線９ｃと直角の中心線９ｄを有する円柱体とし、ボルト保持体５には頭部９ｂの中心線９ｄと一致する中心線１１ａを有する略円筒状の保持孔１１を形成し、ボルト９の頭部９ｂを該保持孔１１に嵌着する。また、該保持孔１１には、ボルト９がその頭部９ｂを旋回中心として旋回自在となるようにするために、該保持孔１１に連続する旋回用孔（回動用孔）１３を延設する（図４参照）。
【００２０】
雌ねじ保持体７は、ボルト９に対応する雌ねじ部１５を回転自在かつ進退不能に備える。該雌ねじ部１５には直接雌ねじ１５ａを形成しても差し支えないが、図２に示す事例における雌ねじ部１５は、雌ねじ１５ａを備えた雌ねじ体１５ｂを内部に固着している。
【００２１】
雌ねじ部１５は人が指で回転させ得るように配設する。すなわち、雌ねじ部１５は、雌ねじ保持体７から一部が露出している。
【００２２】
ボルト９を雌ねじ部１５に螺合させた状態で該雌ねじ部１５を回転させることにより該雌ねじ保持体７がボルト保持体５に接離する方向に進退するようになす。
【００２３】
以上により、図８〜図１３に示すように、雌ねじ保持体７を固定した前記他方の構成部材３とボルト保持体５を固定した前記一方の構成部材１とが相互に回動自在となり、該雌ねじ保持体７の雌ねじ部１５を回転させることにより該雌ねじ部１５をボルト９に締め付けて前記他方の構成部材３と前記一方の構成部材１とが相互に固定されるようになす。
【００２４】
図示の事例においては、雌ねじ部１５には係止孔２１を備えさせ、該係止孔２１に物の先端を係止させて該雌ねじ部１５を回転させることができるようにしている。物の先端としては、例えばスクリュードライバーの先端を用いることができる。
【符号の説明】
【００２５】
１  構成部材
３  構成部材
５  ボルト保持体
７  雌ねじ保持体
９  ボルト
９ａ  雄ねじ部
９ｂ  頭部
９ｃ  中心線
９ｄ  中心線
１１  保持孔
１１ａ  中心線
１３  旋回用孔
１５  雌ねじ部
１５ａ  雌ねじ
１５ｂ  雌ねじ体
２１  係止孔
【図１】
2013238251.tif 000003
【図２】
2013238251.tif 000004
【図３】
2013238251.tif 000005
【図４】
2013238251.tif 000006
【図５】
2013238251.tif 000007
【図６】
2013238251.tif 000008
【図７】
2013238251.tif 000009
【図８】
2013238251.tif 000010
【図９】
2013238251.tif 000011
【図１０】
2013238251.tif 000012
【図１１】
2013238251.tif 000013
【図１２】
2013238251.tif 000014
【図１３】
2013238251.tif 000015